(57)【要約】【課題】従来はヒートポンプサイクルの冷媒回路から吸熱した高温水を貯湯し、この貯湯温水から暖房用に再度吸熱して暖房用温水を作るためシステムの効率が低下していた。【解決手段】給湯用水冷媒熱交換器に供給されるヒートポンプサイクルの高温の冷媒の流路を切り換えて、暖房用水冷媒熱交換器に送り、そこで直接熱交換した温水を使用することにより高効率な暖房運転を行う。【選択図】  図１
2004278876.tif 000002
【特許請求の範囲】
【請求項１】
冷媒を圧縮する圧縮機から吐出された高温の冷媒が供給される給湯用水冷媒熱交換器と、そこで熱交換された冷媒を減圧する減圧装置と、減圧された冷媒を気化する蒸発器とを順次接続したヒートポンプサイクルと、給水された水を減圧する減圧弁と、前記水冷媒熱交換器で温められた水の出湯量を調節する水比例弁とを備える給湯回路と、前記ヒートポンプサイクルから分岐した冷媒により熱交換を行う暖房用水冷媒熱交換器と、その暖房用熱交換器により昇温した水を暖房機器に循環させる温水暖房回路と、を有するヒートポンプ式給湯暖房機。
【請求項２】
前記給湯用水冷媒熱交換器に対して二つのヒートポンプサイクルを備え、暖房機器の運転要求に応じてその暖房機器に対応する温水暖房回路と熱交換するための冷媒を供給するヒートポンプサイクルの圧縮機を運転する請求項１記載のヒートポンプ式給湯暖房機。
【請求項３】
前記暖房用水冷媒熱交換器には、前記ヒートポンプサイクルに設けられ前記給湯用水冷媒熱交換器の冷媒流の上流側に設けられた切換え弁より冷媒が供給される請求項１記載のヒートポンプ式給湯暖房機。
【請求項４】
前記切換え弁は、冷媒流路を切換えるだけではなく、複数の流路に冷媒を供給できる請求項３記載のヒートポンプ式給湯暖房機。
【請求項５】
一つのヒートポンプサイクルを稼動させて暖房運転を行っているときに給湯要求を受け取った場合、他のヒートポンプサイクルを起動して給湯運転を行い、その出湯量が多い高負荷給湯の場合は、暖房運転を行っているヒートポンプサイクルの冷媒を前記給湯用水冷媒熱交換器に分配あるいは供給を切り換える請求項２記載のヒートポンプ式給湯暖房機。
【請求項６】
ヒートポンプサイクルに使用する冷媒は自然系冷媒である請求項１記載のヒートポンプ式給湯暖房機。
【発明の詳細な説明】
【０００１】
【発明の属する技術分野】
本発明はヒートポンプサイクルを用いて給湯および暖房を行う給湯暖房機に関する。
【０００２】
【従来の技術】
従来技術のヒートポンプ貯湯式給湯暖房機として、ヒートポンプサイクルにより高温に貯湯したタンク内の上部に設けた水循環式の熱交換器を設け、タンク内に貯湯された高温水と暖房機で放熱して戻った低温水が熱交換器内を循環することにより高温貯湯側から吸熱して再昇温し循環ポンプを介して暖房機に温水を循環させることにより暖房を行うシステムが特開２００２−３４９９６４号公報（以下、特許文献１）に開示されている。
【０００３】
本従来技術のタンク内高温貯湯運転はヒートポンプサイクルの高圧高温の冷媒回路と循環ポンプによりタンク底部から吸入した循環水により熱交換を行い、水回路内の水温を昇温させてからタンク上部に戻し貯湯を行っている。
【０００４】
従って、ヒートポンプサイクルから水回路と冷媒回路との熱交換を行う水冷媒熱交換器を介して一旦高温水をタンクに貯湯し、この高温水と暖房機内を循環する水回路との熱交換を別途設置した水熱交換器を用いて吸熱し暖房運転を行うため、ヒートポンプサイクルから貯湯タンクに高温水を貯湯するための水冷媒熱交換と、暖房機へ高温水を循環するためのタンク内高温水と暖房水回路との水水熱交換の合計２回の熱交換を行わなければならない。このため、熱交換効率が低下し、システムのエネルギー効率が低下する恐れがある。
【０００５】
また、他の給湯暖房システムとして、例えばエチレングリコール水溶液などの熱媒を循環させて貯湯タンク内の水を温めたり、床暖房運転を行うことが特開２００２−２８６２３１号公報（以下、特許文献２）に開示されている。
【０００６】
特許文献２のシステムでは給湯用のタンク内高温水貯湯運転はタンク内に設置された電気ヒーターにより行っており、貯湯のエネルギー効率（加熱能力／使用電力）は１以下の低効率化を招く。また、暖房安定後に使用するヒートポンプサイクルによる暖房回路は別途暖房用熱源機を設置するためシステムの大形化が懸念されるとともに、ヒートポンプサイクルは給湯には使用されず暖房専用の熱源機として構成されているため夏季などの暖房運転不要時期では動作せず年間利用の観点からは過剰な構成となる。また、冬期においては暖房の立上りに要する使用熱量が増大するためタンク内の貯湯熱量が減少し、対応としてタンク容量を大きくするか、電気代の高い昼間貯湯運転を行う必要が生じることがある。
【特許文献１】
特開２００２−３４９９６４号公報（要約）
【特許文献２】
特開２００２−２８６２３１号公報（要約）
【０００７】
【発明が解決しようとする課題】
本発明は上記不具合、即ち暖房運転する場合に高温水をタンクに貯湯させるヒートポンプ運転ではヒートポンプサイクルから吸熱するため、冷媒回路とタンク水回路を接触あるいは接合した水冷媒熱交換器を用い、更にこの高温貯湯された高温水から暖房機に利用する循環水の温度上昇を得るために水熱交換器をタンク内に設置する必要がある。従って、暖房用に温水を循環するにはヒートポンプサイクルで吸熱した熱源を一旦水冷媒熱交換器によりタンク水回路に吸熱貯湯し、このタンク内高温水から水熱交換器を介して暖房機用循環水に吸熱させ暖房用温水を作らなけらばならない。熱交換を行う場合には熱交換効率が生じ、当該システムのように高温冷媒回路からタンク貯湯への熱交換、タンク貯湯した高温水から更に暖房用循環水への熱交換と２重に熱交換させるため熱損失が増加し、暖房システムとして効率低下を招く。また、暖房の立上げは貯湯タンク内高温水からの吸熱により暖房用温水を作り、立上げ後はヒートポンプサイクルの冷媒回路から暖房用熱源を吸熱するシステムではヒートポンプサイクル熱源機がタンク貯湯には使用されず暖房専用の熱源機となるため貯湯および立上げ暖房用高温水は電気ヒーターを用いたタンクユニットにより運転される。安定時の暖房運転は専用のヒートポンプサイクル熱源機が必要となりシステムの大形化およびヒートポンプサイクル熱源機の夏季など暖房運転不要時の運転率低下が予想される。
【０００８】
【課題を解決するための手段】
上記課題を解決するために、ヒートポンプサイクル熱源機による直接給湯および暖房を行う給湯暖房システムを用い、暖房時も熱交換効率を向上させるため冷媒管と暖房用温水を暖房専用に直接熱交換させる水冷媒熱交換器を給湯用水冷媒熱交換器とは別に並列に設置する。また、圧縮機出口の高温冷媒は給湯用と暖房用の水冷媒熱交換器手前に設置した切換え弁により冷媒回路が変更され、減圧装置手前で給湯用熱交換器と暖房用熱交換器の各々出口パイプが合流する。尚、暖房用の水冷媒熱交換器出口から給湯用水冷媒熱交換器出口との合流部手前に減圧装置側に向かった流れ方向の逆止弁を設置し、暖房停止中のサイクルパイプ内に冷媒が凝縮することを防止する。
【０００９】
このような暖房用回路を構成することにより暖房用熱源をヒートポンプサイクルの高温冷媒回路から直接効率良く吸熱し、水冷媒熱交換器の小形化が可能となり、高効率な暖房運転を行うことができる。また、本発明のヒートポンプサイクル熱源機は高出力とし、貯湯用の大容量タンクユニットは使用せず給湯時はヒートポンプサイクル冷媒回路と給湯水回路の給湯用水冷媒熱交換器により直接給湯を行う。暖房も同様に冷媒回路と暖房水回路の水冷媒熱交換器により行われるため、熱交換器、切換え弁、逆支弁等はヒートポンプサイクル熱源機内に収納可能であり、給湯暖房システムの集約、コンパクト構造および製造原価の低減に貢献できる。
【００１０】
以上のようなヒートポンプ給湯暖房機の給湯回路および暖房回路を冷凍サイクル、給湯用水冷媒熱交換器、暖房用水冷媒熱交換器、暖房機器、切換え弁などから構成することにより暖房熱源の高効率熱交換、暖房回路の低原価構成を得ることができる。
【００１１】
【発明の実施の形態】
以下、本発明の一実施例を図１を用いて説明する。図１は本実施例のヒートポンプサイクル熱源機を用いた給湯および床暖房回路を示しており、１は回転数制御可能な圧縮機、２は外気との熱交換により吸熱を行う蒸発器、３は蒸発器２への送風を行い熱交換を促進する送風機、４は凝縮した高温高圧冷媒を減圧させる減圧装置、５は外気が低温時に蒸発器に着霜し運転時間とともに着霜量が増大したとき高温冷媒ガスを蒸発器に流入させて除霜を行う２方弁である。本実施例ではヒートポンプサイクルが２系統独立して構成され、圧縮機、蒸発器、減圧装置、ファン等は各々２台用いており、添字ａおよびｂはサイクルに用いる機器の系統を区別している。添字ａは第１系統のヒートポンプサイクル、添字ｂは第２系統のヒートポンプサイクルを示している。給湯用の水冷媒熱交換器６は、冷媒回路と給湯・タンク沸上げ・風呂追焚き水回路が接触し熱交換を行う。床暖房用水冷媒熱交換器８は床暖房パネル９に這わせたパイプに循環ポンプ７により送水する温水をつくる。２１は給湯および床暖房運転の冷媒回路を切り換えるための３方向切り変え弁である。１０は逆止弁であり、暖房用水冷媒熱交換器８の冷媒回路出口と減圧装置４ａの間に設置される。給湯用水冷媒熱交換器の冷媒回路は補助貯湯タンク１３の周囲に螺旋状に設置され、この周囲を断熱材で覆うため冷媒回路はタンクからの熱伝導により高温に保持され、停止中に冷媒が凝縮することはない。１１は給湯、風呂湯張りを行う時の給水口、１２は洗面、台所などへ出湯させるための出湯口である。バイパス比例弁１９は給水された水を出湯する水に混合するために通過させる弁である。水比例弁２０は、必要に応じて混合弁１８で混合された給湯用水冷媒熱交換器６からの水と貯湯タンク１３からの水からなる高温の水と、給水口１１からの低い温度の水とが混ぜられて、その温度が適切になった水の出湯量の調節を行う。出湯口１２の１７は風呂１５へ自動湯張りを行う場合の注湯電磁弁を示す。また、１６は風呂１５の追焚きを行う場合の循環ポンプを示している。１４は補助貯湯タンク１３に貯湯する場合、水冷媒熱交換器６を介してタンクに循環させるタンク沸上げ用ポンプである。
【００１２】
ここで、貯湯タンクは少容量であり給湯開始時のヒートポンプサイクルが立ち上がりの過渡状態にある時、混合弁１８を介して給湯回路にタンク内温水が補助的に供給される。
【００１３】
図２は本実施例で示した給湯、追焚き用水冷媒熱交換器の一例であり、２５は第１系統のヒートポンプサイクルの冷媒管、２６は給湯、タンク沸上げ用水管、２７は第２系統のヒートポンプサイクルの冷媒管、２８は風呂追焚き用の水管であり各々偏平に成形され各管の接触面積を増加させている。各第１系統ヒートポンプサイクル冷媒管、給湯用水管、第２系統ヒートポンプサイクル冷媒管、風呂追焚き用水管は４本を１組として螺旋状に成形し補助貯湯タンクの周囲に設置する構造としている。
【００１４】
図３は床暖房用の水冷媒熱交換器であり、２９は第１のヒートポンプサイクルの冷媒管、３０は床暖房用の温水管であり、第１ヒートポンプサイクル冷媒管、床暖房用水管の２本を１組として螺旋状に成形し、給湯用水冷媒熱交換器と同様に補助貯湯タンク周囲に設置する構造としている。
【００１５】
尚、給湯用および暖房用水冷媒熱交換器として、水管周囲から冷媒用細管を複数本押込み成形した熱交換器等、種々の熱交換器を螺旋状あるいは直管に成形して使用することも可能である。
【００１６】
このような構成からなるヒートポンプ給湯暖房機において給湯および風呂湯張り、風呂追焚き、タンク沸上げ運転は１系統および２系統のヒートポンプサイクルを同時駆動することによりタンクからの補助出湯を少なくして大部分の出湯をヒートポンプサイクルの吸熱から直接行うことができ、高効率な給湯運転となる。
【００１７】
一方、本発明の構成による床暖房を行う場合は図４に示す如く１系統のみのヒートポンプサイクルを運転し、冷媒流路切換え弁を床暖房側へ冷媒流路を切り換え、床暖房パネルへ温水を循環させるための循環ポンプを運転する。一般的に床暖房の立上り負荷は３ｋＷ、安定時負荷は１から２ｋＷ程度と少ないため、１系統のみの運転でも充分対応可能である。また、床暖房用の温水は、ヒートポンプサイクルの高温側冷媒と熱交換して作るため熱交換効率が高く、エネルギー効率に優れた床暖房運転を行うことができる。床暖房の温度調節はパネル温度を検知したリモコン２３から設定温度との温度差によりヒートポンプサイクルの圧縮機回転数を制御器２２に与えて調整し水冷媒熱交換器からの吸熱量を増減しパネル温度を制御する。ただし、床暖房運転中に給湯の要求があった場合は先ず、床暖房回路に未接続の第２系統のヒートポンプサイクルを起動し給湯運転を行う。更に第２系統のヒートポンプサイクルの給湯能力を超える出湯負荷が発生した場合は第１系統のヒートポンプサイクルの冷媒流路を切換え弁により給湯回路側に切り換え、床暖房運転を一時停止する。
【００１８】
また、床暖房を運転してしばらく経過している場合は、床暖房パネル内の温水が十分温まっているため、次のような運転制御が効果的である。すなわち、第１系統のヒートポンプサイクルが床暖房運転を行っているときに給湯の要求があった場合、第２系統のヒートポンプサイクルの運転を開始すると共に、既に運転状態にあった第１系統のヒートポンプサイクルの３方切換え弁２１を切り換え高温高圧の冷媒の全量を給湯用水冷媒熱交換器６に流す。
【００１９】
そして第２系統のヒートポンプサイクルの冷媒が十分高温になり単独で湯を供給できるようになったら、出湯は第２系統のヒートポンプサイクルのみで出湯運転する。そして、第１系統のヒートポンプサイクルは３方切換え弁２１が流路を切換え、もとの床暖房運転に戻る。
【００２０】
また、本実施例では冷媒流路切換えを３方切換え弁２１を使用しているため、床暖房運転中は第１系統のヒートポンプサイクルによる給湯側運転は停止されるが、図５に示す如く３方向の内２方向に同時に流出できる弁を使用すると第２系統のヒートポンプサイクルと第１系統のヒートポンプサイクル能力のうち、暖房負荷を除く能力は給湯側に追加できるため床暖房と高負荷の給湯の同時運転が可能になる。
【００２１】
また、給湯用水冷媒熱交換器および暖房用水冷媒熱交換器の各々の出口側に開度可変の電動式膨張弁を設置しても同様の制御が可能である。
【００２２】
尚、本実施例では暖房機として床暖房パネルを接続しているが、浴室乾燥、浴室暖房、および室内暖房機などの接続も可能であり、また、複数の暖房機機器を接続することも可能である。
【００２３】
また、ヒートポンプサイクルに使用する冷媒に自然系冷媒を用いた場合、特に二酸化炭素を使用し従来の貯湯式タンクに高温水（９０℃）を貯湯すると周囲温度との温度差が大きくなりタンクからの放熱量が増加する。本発明では給湯あるいは暖房運転の要求が発生したときにヒートポンプサイクルを運転し冷媒回路と温水回路で高効率熱交換を行い、保温による熱漏洩もないため給湯暖房システムの省電力化が顕著に現れる。
【００２４】
以上説明したように、本発明によれば回転数制御可能な圧縮機を２台用いて、各々独立したヒートポンプサイクル系統を構成し、第１系統のヒートポンプサイクルの冷媒回路に暖房用水冷媒熱交換器を設置し、当該熱交換器からの吸熱により昇温した温水を循環ポンプにより暖房機器内に循環することにより効率的な暖房運転を行うことができる。また、ヒートポンプサイクルを２系統に各々独立して構成することにより暖房運転中においても第２系統のヒートポンプサイクルは給湯運転が可能であり第２系統ヒートポンプサイクル能力で賄える給湯負荷と暖房運転を同時に行うことができる。
【００２５】
また、第２系統ヒートポンプサイクルの給湯能力以上の給湯負荷と暖房要求が同時に発生する場合は第１系統のヒートポンプサイクルの３方向切換え弁の構造を２方向同時流出可能な切換え弁を使用する構成により高負荷の給湯および暖房の同時運転が可能となる。
【００２６】
以上のように、本発明によればヒートポンプ給湯暖房機において給湯と暖房運転を少ない部品構成で効率的に達成できる給湯暖房機を提供することができる。
【００２７】
【発明の効果】
以上説明したように、本発明によれば効率的な暖房運転を行うことができる。
【図面の簡単な説明】
【図１】本発明の一実施例における給湯暖房機の構成図。
【図２】本発明に係わる給湯、風呂追焚きに使用可能な水冷媒熱交換器の構造図。
【図３】本発明に係わる暖房に使用可能な水冷媒熱交換器の構造図。
【図４】本発明に係わる床暖房の運転制御を行うための構成図。
【図５】本発明に係わる給湯、暖房同時運転の冷媒回路に３方弁を用いた構成図。
【符号の説明】
１…回転数制御圧縮機、４…蒸発器、６…給湯用水冷媒熱交換器、８…暖房用水冷媒熱交換器、９…床暖房パネル、１１…給水口、１２…出湯口、１３…補助貯湯タンク、１５…浴槽、１９…バイパス比例弁、２０…水比例弁、２１…冷媒流路切換え弁、２２…サイクル制御装置、２３…床暖房用リモコン、２４…２方向流出３方切換え弁。
【図１】
2004278876.tif 000003
【図２】
2004278876.tif 000004
【図３】
2004278876.tif 000005
【図４】
2004278876.tif 000006
【図５】
2004278876.tif 000007